(57)【要約】【課題】  成形天井の端末の差込みが容易で、作業性を高めることができる車両用成形天井の端末固定構造の提供。【解決手段】  車室内左右両側面部に沿って設けられたエアコンダクト１における下側部材１２の内側の先端縁部にヘッドライニング２の左右端末部を挿入係止可能な少し上向きに開口する断面略コ時状の抱込み凹部３１を有する抱込み端末固定部３がそれぞれ設けられ、該両端末固定部３の抱込み凹部３１内にヘッドライン具２の両端縁部をそれぞれ差し込むことにより、該ヘッドライニング２の端末を固定するようにした車両用成形天井の端末固定構造において、抱込み凹部３１を形成する上側の抱込み片３２の先端部に下側の抱込み片３３の先端部より長く突出する延長部３２１が形成されている。【選択図】        図４
2007008181.tif 000002
【特許請求の範囲】
【請求項１】
車室内側面部に設けられた車体側部材の上部に、成形天井の端末部を挿入係止可能な断面略コ字状の抱込み凹部を有する抱込み端末固定部が設けられ、該抱込み端末固定部の凹部内に前記成形天井の端縁部をそれぞれ挿入係止させて該成形天井の端末を固定するようにした車両用成形天井の端末固定構造において、
前記抱込み凹部を形成する前記上側の抱込み片の先端部に前記下側の抱込み片の先端より長く突出する延長部が形成されていることを特徴とする車両用成形天井の端末固定構造。
【請求項２】
前記上側の抱込み片における延長部の先端縁部下面に突条が設けられていることを特徴とする請求項１に記載の車両用成形天井の端末固定構造。
【請求項３】
前記上側の抱込み片の延長部に前記抱込み固定部を所定部位に固定するための固定用孔が形成されていることを特徴とする請求項１または２に記載の車両用成形天井の端末固定構造。
【請求項４】
前記抱込み固定部がエアコンダクトに形成されていることを特徴とする請求項１〜のいずれか１項に記載の車両用成形天井の端末固定構造。
【発明の詳細な説明】
【技術分野】
【０００１】
本発明は、車両用成形天井の端末固定構造に関する。
【背景技術】
【０００２】
従来の車両用成形天井の端末固定構造としては、例えば、左右両ピラーガーニッシュの上端縁部に、成形天井の左右両端末部を挿入係止可能な少し上向きに開口する抱込み凹部を有する断面略コ時状の抱込み端末固定部がそれぞれ設けられ、この両端末固定部の抱込み凹部内に成形天井の両端縁部をそれぞれ差し込むことにより、成形天井の端末を固定するようにしたものが知られている（例えば、特許文献１参照）。
【０００３】
【特許文献１】特開平８−１３２９８４号公報
【発明の開示】
【発明が解決しようとする課題】
【０００４】
しかしながら、上述の従来の技術にあっては、抱込み凹部を形成する上側の抱込み片が下側の抱込み片より短く形成されている構造であったため、成形天井の端末を差込み難いという問題があった。
【０００５】
本発明は、上述のような従来の問題点に着目して成されたもので、成形天井の端末の差込みが容易で、作業性を高めることができる車両用成形天井の端末固定構造を提供することを目的としている。
【課題を解決するための手段】
【０００６】
上述の目的を達成するために、本願請求項１に記載の車両用成形天井の端末固定構造は、車室内側面部に設けられた車体側部材の上部に、成形天井の端末部を挿入係止可能な断面略コ字状の抱込み凹部を有する抱込み端末固定部が設けられ、該抱込み端末固定部の凹部内に前記成形天井の端縁部をそれぞれ挿入係止させて該成形天井の端末を固定するようにした車両用成形天井の端末固定構造において、前記抱込み凹部を形成する前記上側の抱込み片の先端部に前記下側の抱込み片の先端より長く突出する延長部が形成されていることを特徴とする手段とした。
【発明の効果】
【０００７】
請求項１に記載の車両用成形天井の端末固定構造では、上述のように、前記抱込み凹部を形成する上側の抱込み片の先端に下側の抱込み片の先端より長く突出する延長部が形成されている構成とすることで、この上側の抱込み片が差込み案内片の役目をなすため、成形天井の端末の差込みが容易で、作業性を高めることができるようになるという効果が得られる。
【発明を実施するための最良の形態】
【０００８】
以下に、本発明の実施例を図面に基づいて説明する。
【実施例】
【０００９】
この実施例の車両用成形天井の端末固定構造は、請求項１、２に記載の発明に対応する。
図１はこの実施例の車両用成形天井の端末固定構造が適用されたマイクロバスの要部縦断面図で成形天井の取り付け手順を説明する断面図、図２は同成形天井の取り付け完了状態を示す要部縦断面図、図３は図１のＡ部拡大図、図４は図２のＢ部拡大図である。
【００１０】
この実施例の車両用成形天井の端末固定構造は、左右のエアコンダクト１、１と、ヘッドライニング（成形天井）２と、抱込み固定部３と、が備えられている。
上記エアコンダクト１、１は、車室内左右天井部に設けられるもので、上側部材１１と下側部材１２とで中空状に形成されている。
【００１１】
さらに詳述すると、下側部材１２の内側の先端縁部にヘッドライニング２の左右端末部を挿入係止可能な少し上向きに開口する断面略コ時状の抱込み凹部３１を有する抱込み端末固定部３がそれぞれ設けられ、該両端末固定部３、３の抱込み凹部３１、３１内にヘッドライニング２の両端縁部をそれぞれ差し込むことにより、該ヘッドライニング２の端末を固定するようになっている。
なお、上記ヘッドライニング２は可撓性を有する基板２１と車室内側に貼り付けられた柔軟な内張り材２２とで構成されている。
【００１２】
そして、抱込み凹部３１を形成する下側の抱込み片３３の先端縁部上面には突条３３１が設けられる一方、抱込み凹部３１を形成する上側の抱込み片３２の先端部には下側の抱込み片３３の先端部より長く突出する延長部３２１が形成されると共に、この延長部３２１の先端縁部下面には突条３２２が設けられている。
【００１３】
そして、延長部３２２には複数の固定用孔３２３が形成され、この固定用孔３２３を利用して下側部材１２の内側縁部と上側部材１１の内側縁部とがビス１３で締結固定される一方、上側部材１１と下側部材１２の外側縁部が図示を省略したボルト・ナットで締結固定されることにより、中空状のエアコンダクト１が形成されている。
【００１４】
次に、実施例の作用・効果について説明する。
この実施例の車両用成形天井の端末固定構造では、上述のように構成されるため、ヘッドライニング２の取り付けを行うには、まず、図１、３に示すように、ヘッドライニング２の一方の端末を抱込み凹部３１内に下側の抱込み片３３側から斜めに挿入することにより、上側の抱込み片３２の延長部３２１が差込み案内片の役目をなすため、ヘッドライニング２を容易に差し込むことができる。
【００１５】
次に、ヘッドライニング２のもう一方の端末を同様にもう一方の抱込み凹部３１内に下側の抱込み片３３側から斜めに挿入した後、図２、４に示すように、ヘッドライニング２の中央部を上方へ押して上向き円弧状に湾曲させることにより、ヘッドライニング２を構成する基板２１の上面に突条３２２が当接すると共に、ヘッドライニング２を構成する柔軟な内張り材２２に突条３３１が圧接して食い込んだ状態で固定され、これにより、ヘッドライニング２の取り付けを完了する。
【００１６】
以上詳細に説明してきたように、この実施例の車両用成形天井の端末固定構造では、抱込み凹部３１を形成する上側の抱込み片３２の先端に下側の抱込み片３３の先端より長く突出する延長部３２１が形成されている構成とすることで、この上側の抱込み片３２の延長部３２１が差込み案内片の役目をなすため、ヘッドライニング２の端末の差込みが容易で、作業性を高めることができるようになるという効果が得られる。
【００１７】
また、上側の抱込み片３２における延長部３２１の先端縁部下面に突条３２２が設けられることにより、端末固定時には、図２、４に示すように、ヘッドライニング２が上向きに湾曲することでこの突条３２２がヘッドライニング２の端末上面に当接するが、端末の差込み時には、図１、３に示すように、下側の抱込み片３３側から斜めに挿入することで抱込み凹部３１の幅Ｌを広くすることができるため、さらに成形天井の端末の差込みが容易になる。
また、突条３２２が補強リブの役目をなすため、上側の抱込み片３２の剛性を高めることができるようになる。
【００１８】
また、上側の抱込み片３２の延長部３２１に抱込み固定部３１を所定部位に固定するための固定用孔３２３が形成されることにより、別体のブラケット等を用いることなしに、この上側の抱込み片３２の延長部３２１を利用して抱込み固定部３を所定の部位にビス１３やボルト・ナットで容易に固定することができるようになる。
【００１９】
また、図４に示すように、ビス１３がヘッドライニング２で隠れた状態となるため、見栄えを悪くすることもない。
また、延長部３２１の先端縁部下面には突条３２２が形成されることにより、ヘッドライニング２の端末が差込み時にビス１３の頭部に当たることをこの突条３２２で防止することができるようになる。
【００２０】
また、抱込み固定部３がエアコンダクト１に形成されることにより、部品点数を減らすことができるようになる。
【００２１】
以上、本発明の実施例を図面に基づき説明してきたが、本発明は上述の実施例に限られるものではなく、本発明の要旨を逸脱しない範囲の設計変更等があっても、本発明に含まれる。
例えば、実施例では、抱込み固定部３をエアコンダクト１に形成したが、ピラーガーニッシュ等、その他の車体側部材に形成するようにしてもよい。
また、実施例では、マイクロバスに適用したが、その他の車両にも適用することができる、
【図面の簡単な説明】
【００２２】
【図１】実施例の車両用成形天井の端末固定構造が適用されたマイクロバスの要部縦断面図で成形天井の取り付け手順を説明する断面図である。
【図２】成形天井の取り付け完了状態を示す要部縦断面図である。
【図３】図１のＡ部拡大図である。
【図４】図２のＢ部拡大図である。
【符号の説明】
【００２３】
１  エアコンダクト
１１  上側部材
１２  下側部材
１３  ビス
２  ヘッドライニング（成形天井）
２１  基板
２２  内張り部材
３  端末固定部材
３１  抱込み凹部
３２  上側の抱込み片
３２１  延長部
３２２  突条
３２３  固定用孔
３３  下側の抱込み片
【図１】
2007008181.tif 000003
【図２】
2007008181.tif 000004
【図３】
2007008181.tif 000005
【図４】
2007008181.tif 000006